(57)【要約】【課題】保守または修理時の信頼性の確保と作業性の向上を目的とし、制御装置の制御部分とターミナル部分とを分離可能にしたターミナル構造を有するインターホン装置を提供する。【解決手段】呼出、通話を制御するための制御用回路が実装された制御用基板４４を収納・固定するために嵌合される本体上ケース１１及び本体下ケース１２を有する本体部１３と、配線３０により接続するためのターミナル端子４６が実装された配線用基板４５を収納・固定するために嵌合されるターミナル上ケース４１及びターミナル下ケース４２を有するターミナル部４７とを備え、制御用基板と配線用基板とは、本体コネクタ４３、ターミナルコネクタ４３ａにより接続されるターミナル構造を備えている。【選択図】図１
2007208534.tif 000002
【特許請求の範囲】
【請求項１】
呼出、通話を制御するための制御用回路が実装された制御用基板（４４）を収納・固定するために嵌合される本体上ケース（１１）及び本体下ケース（１２）を有する本体部（１３）と、配線（３０）により接続するためのターミナル端子（４６）が実装された配線用基板（４５）を収納・固定するために嵌合されるターミナル上ケース（４１）及びターミナル下ケース（４２）を有するターミナル部（４７）とを備え、
前記制御用基板と前記配線用基板とは、本体コネクタ（４３）、ターミナルコネクタ（４３ａ）により接続されるターミナル構造を備えていることを特徴とするインターホン装置。
【請求項２】
集合玄関機（１）からの呼出を居室親機（６）に報知し、前記呼出に応答した前記居室親機と前記集合玄関機の間で通話を成立させる制御機（２）を有し、
前記集合玄関機は、前記呼出、前記通話を制御するための制御用回路が実装された制御用基板（４４）を収納・固定するために嵌合される本体上ケース（１１）及び本体下ケース（１２）を有する本体部（１３）と、前記制御機、前記居室親機を配線（３０）によりそれぞれ接続するためのターミナル端子（４６）が実装された配線用基板（４５）を収納・固定するために嵌合されるターミナル上ケース（４１）及びターミナル下ケース（４２）を有するターミナル部（４７）とを備え、
前記制御用基板と前記配線用基板とは、本体コネクタ（４３）、ターミナルコネクタ（４３ａ）により接続されるターミナル構造を備えていることを特徴とするインターホン装置。
【請求項３】
集合玄関機（１）からの呼出を居室親機（６）に報知し、前記呼出に応答した前記居室親機と前記集合玄関機の間で通話を成立させる制御機（２）を有し、
前記居室親機は、前記制御機から、前記集合玄関機、前記制御機との通信、センサ（８）及び増設親機（６ａ）との接続を行なうアダプタ（７）を介して接続され、
前記アダプタは、前記呼出、前記通話を制御するための制御用回路が実装された制御用基板（４４）を収納・固定するために嵌合される本体上ケース（１１）及び本体下ケース（１２）を有する本体部（１３）と、前記制御機、前記居室親機を配線（３０）によりそれぞれ接続するためのターミナル端子（４６）が実装された配線用基板（４５）を収納・固定するために嵌合されるターミナル上ケース（４１）及びターミナル下ケース（４２）を有するターミナル部（４７）とを備え、
前記制御用基板と前記配線用基板とは、本体コネクタ（４３）、ターミナルコネクタ（４３ａ）により接続されるターミナル構造を備えていることを特徴とするインターホン装置。
【請求項４】
集合玄関機（１）からの呼出を居室親機（６）に報知し、前記呼出に応答した前記居室親機と前記集合玄関機の間で通話を成立させる制御機（２）を有し、
前記制御機は、前記呼出、前記通話を制御するための制御用回路が実装された制御用基板（４４）を収納・固定するために嵌合される本体上ケース（１１）及び本体下ケース（１２）を有する本体部（１３）と、前記集合玄関機、前記居室親機を配線（３０）によりそれぞれ接続するためのターミナル端子（４６）が実装された配線用基板（４５）を収納・固定するために嵌合されるターミナル上ケース（４１）及びターミナル下ケース（４２）を有するターミナル部（４７）とを備え、
前記制御用基板と前記配線用基板とは、本体コネクタ（４３）、ターミナルコネクタ（４３ａ）により接続されるターミナル構造を備えていることを特徴とするインターホン装置。
【請求項５】
集合玄関機（１）からの呼出を居室親機（６）又は管理室親機（５）に報知し、前記呼出に応答した前記居室親機又は前記管理室親機と前記集合玄関機の間で通話を成立させる制御機（２）を有し、
前記管理室親機は、前記呼出、前記通話を制御するための制御用回路が実装された制御用基板（４４）を収納・固定するために嵌合される本体上ケース（１１）及び本体下ケース（１２）を有する本体部（１３）と、前記制御機、前記集合玄関機、前記居室親機を配線（３０）によりそれぞれ接続するためのターミナル端子（４６）が実装された配線用基板（４５）を収納・固定するために嵌合されるターミナル上ケース（４１）及びターミナル下ケース（４２）を有するターミナル部（４７）とを備え、
前記制御用基板と前記配線用基板とは、本体コネクタ（４３）、ターミナルコネクタ（４３ａ）により接続されるターミナル構造を備えていることを特徴とするインターホン装置。
【発明の詳細な説明】
【技術分野】
【０００１】
本発明は居室親機とインターホンシステムに接続される集合玄関機、増設親機、センサなどの各種接続機器の結線と各種接続機器からの情報を処理して、居室親機と情報の伝達を行う制御部分を有する制御装置を備えたインターホン装置におけるターミナル構造に関する。
【背景技術】
【０００２】
従来から、インターホンの制御装置に採用されているターミナル構造は、通常制御装置の内部あるいは制御装置裏面に配置されている（例えば、特許文献１参照）。
【０００３】
特許文献１に記載されている内容においては、居室親機を壁に取り付ける際に生じる配線や接続端子の損傷を防止できる取り付けが容易な端子ユニット装置及びインターホン装置の例が示されているが、この居室親機の本体内に配置された制御装置にターミナル構造が備えられている。
【０００４】
このようなインターホン装置においては一般的に例えば図４に示すようなターミナル構造が採用されている。
【０００５】
図４において、従来のターミナル構造は、各種機器が内装された上ケース３１とターミナル端子２０が実装されている基板３３が備えられた下ケース３２とからなり、上ケース３１と下ケース３２が上ケース側のコネクタ２１と下ケース側の接続コネクタ２１ａとにより接続され、上ケース３１と下ケース３２とが嵌合されて取り付けられるようになっている。
【０００６】
なお、下ケース３２の底部に設けられた孔部からは配線３０が下ケース３２内に導入され、ターミナル端子２０に接続されている。
【０００７】
【特許文献１】特開２００３−１２５０８９号公報
【発明の開示】
【発明が解決しようとする課題】
【０００８】
しかしながら、このような従来のターミナル構造を持つ制御装置では、配線が終わったあとの保守時や修理時に機器を取り外すときには、図４の例のように上ケース３１と下ケース３２を取り外し、ターミナル端子２０が実装されている基板上の接続コネクタ２１ａから上ケース３１に取り付けられた制御回路が実装された基板に接続されているコネクタ２１を抜き去ることになる。
【０００９】
このような場合には、上ケース３１は機器内部がむき出しの状態で保守あるいは修理しなければならないため、保守または修理時に機器内部回路を保護し、信頼性を確保するために作業者は製品を取り扱うよりも、より注意を払わなければならないという問題点が生じ、極めて作業性を悪くしていた。
【００１０】
また、インターホン設置後の接続確認試験を行う際などにも上ケースと下ケースを取り外さなければならないために作業が煩雑になるという問題点もあり、さらに複数のターミナル構造を設置し渡り配線を行う場合などには他の居室親機側の接続を断線させる必要があるなどの問題もあった。
【００１１】
本発明は以上のような難点を解消するために、インターホン装置の保守または修理時の信頼性の確保と作業性の向上を目的として、制御装置の制御部分とターミナル部分を分離できるターミナル構造を備えたインターホン装置を提供するものである。
【課題を解決するための手段】
【００１２】
本発明のインターホン装置の第１の態様は、呼出、通話を制御するための制御用回路が実装された制御用基板を収納・固定するために嵌合される本体上ケース及び本体下ケースを有する本体部と、配線により接続するためのターミナル端子が実装された配線用基板を収納・固定するために嵌合されるターミナル上ケース及びターミナル下ケースを有するターミナル部とを備え、制御用基板と配線用基板とは、本体コネクタ、ターミナルコネクタにより接続されるターミナル構造を備えていることを特徴とする。
【００１３】
また、本発明のインターホン装置の第２の態様は、集合玄関機からの呼出を居室親機に報知し、呼出に応答した居室親機と集合玄関機の間で通話を成立させる制御機を有し、
集合玄関機は、呼出、通話を制御するための制御用回路が実装された制御用基板を収納・固定するために嵌合される本体上ケース及び本体下ケースを有する本体部と、制御機、居室親機を配線によりそれぞれ接続するためのターミナル端子が実装された配線用基板を収納・固定するために嵌合されるターミナル上ケース及びターミナル下ケースを有するターミナル部とを備え、制御用基板と配線用基板とは、本体コネクタ、ターミナルコネクタにより接続されるターミナル構造を備えていることを特徴とする。
【００１４】
さらに、本発明のインターホン装置の第３の態様は、集合玄関機からの呼出を居室親機に報知し、呼出に応答した居室親機と集合玄関機の間で通話を成立させる制御機を有し、居室親機は、制御機から、集合玄関機、制御機との通信、センサ及び増設親機との接続を行なうアダプタを介して接続され、アダプタは、呼出、通話を制御するための制御用回路が実装された制御用基板を収納・固定するために嵌合される本体上ケース及び本体下ケースを有する本体部と、制御機、居室親機を配線によりそれぞれ接続するためのターミナル端子が実装された配線用基板を収納・固定するために嵌合されるターミナル上ケース及びターミナル下ケースを有するターミナル部とを備え、制御用基板と配線用基板とは、本体コネクタ、ターミナルコネクタにより接続されるターミナル構造を備えていることを特徴とする。
【００１５】
また、本発明のインターホン装置の第４の態様は、集合玄関機からの呼出を居室親機に報知し、呼出に応答した居室親機と集合玄関機の間で通話を成立させる制御機を有し、
制御機は、呼出、通話を制御するための制御用回路が実装された制御用基板を収納・固定するために嵌合される本体上ケース及び本体下ケースを有する本体部と、集合玄関機、居室親機を配線によりそれぞれ接続するためのターミナル端子が実装された配線用基板を収納・固定するために嵌合されるターミナル上ケース及びターミナル下ケースを有するターミナル部とを備え、制御用基板と配線用基板とは、本体コネクタ、ターミナルコネクタにより接続されるターミナル構造を備えていることを特徴とする。
【００１６】
さらに、本発明のインターホン装置の第５の態様は、集合玄関機からの呼出を居室親機又は管理室親機に報知し、呼出に応答した居室親機又は管理室親機と集合玄関機の間で通話を成立させる制御機を有し、管理室親機は、呼出、通話を制御するための制御用回路が実装された制御用基板を収納・固定するために嵌合される本体上ケース及び本体下ケースを有する本体部と、制御機、集合玄関機、居室親機を配線によりそれぞれ接続するためのターミナル端子が実装された配線用基板を収納・固定するために嵌合されるターミナル上ケース及びターミナル下ケースを有するターミナル部とを備え、制御用基板と配線用基板とは、本体コネクタ、ターミナルコネクタにより接続されるターミナル構造を備えていることを特徴とする。
【発明の効果】
【００１７】
本発明に係るターミナル構造をインターホン装置に適用にすることで、インターホン装置を構成している集合玄関機、アダプタ、制御機、管理室親機等の制御装置の保守あるいは修理時に機器間の配線をしたまま、製品の状態でターミナル部と制御回路部を分離することができ、機器内部の各種基板等を露出させることなく、安全にかつ作業性を低下させずに保守あるいは修理等の作業を行うことができる。
【００１８】
また、インターホン装置の設置後に行う接続確認試験も容易に行うことができる。さらに、複数の本体部を設置し渡り配線を行う必要のあるときにはターミナル部を取り外せばよいので、他の親機への接続が断線されないという効果もある。
【発明を実施するための最良の形態】
【００１９】
以下、本発明のインターホン装置に用いられるターミナル構造における好ましい実施の形態について、図面を参照して説明する。なお、以後の各図面において、同じ個所は同じ番号で表すこととする。
【００２０】
本発明のインターホン装置に用いられるターミナル構造は、図１の斜視図、また図２のターミナル構造内部の配置状況に示すように、ＬＡＮ接続端子などが実装された本体上ケース１１及び制御用回路が実装された制御用基板４４を収納する本体下ケース１２とからなる本体部１３と、ターミナル上ケース４１及び配線３０が接続されているターミナル端子４６を実装した配線用基板４５とを備えたターミナル下ケース４２とからなるターミナル部４７とから構成され、本体部１３とターミナル部４７とは、制御用基板４４に実装された本体コネクタ４３と配線用基板４５に実装されたターミナルコネクタ４３ａにより接続されるようになっている。
【００２１】
また、ターミナル端子４６に接続されている機器間の配線３０は、ターミナル上ケース４１とターミナル下ケース４２にそれぞれ設けられた開口部からターミナル部４７内部に導入されており、ターミナル上ケース４１とターミナル下ケース４２とが嵌合されることにより保護されている。
【００２２】
なお、図１は本体上ケース１１と本体下ケース１２、またターミナル上ケース４１とターミナル下ケース４２をそれぞれ嵌合した製品の状態を示し、図２は本体部１３から本体上ケース１１及びターミナル部４７からターミナル上ケース４１を取り外したターミナル構造内部の配置状況を示している。
【００２３】
このようなターミナル構造はインターホン装置を構成している集合玄関機、アダプタ、制御機、管理室親機等にそれぞれ適用することができる。以下、これらの適用例について説明する。
【００２４】
図３は集合住宅用のインターホン装置の基本的な構成を表すブロック図である。図３において、インターホン装置は集合玄関機１からの呼出を居室親機６に報知し、この呼出に応答した居室親機６と集合玄関機１との間で通話を成立させる制御機２が備えられている。制御機２には管理室親機５が接続されており、また制御機２は分配器９を介して各居室１０、１０、・・・と接続されている。
【００２５】
各居室１０、１０、・・・には居室親機６と必要に応じて増設親機６ａが備えられており、居室親機６、増設親機６ａはアダプタ７を介して分配器９と接続されている。
【００２６】
また、各居室１０、１０、・・・には防犯センサ、火災検出センサ、ガス漏れ検出センサ等のセンサ８が備えられていてもよい。このセンサ８もアダプタ７を介して分配器９から制御機２に接続されている。
【００２７】
このようなインターホン装置において、集合玄関機１、制御機２、管理室親機５、アダプタ７にそれぞれ本発明に係るターミナル構造を適用することができる。
【００２８】
このように本発明に係るターミナル構造をインターホン装置に適用することで、インターホン装置を構成している集合玄関機、制御機、管理室親機、アダプタ等の保守あるいは修理時に機器間の配線をしたまま、製品の状態でターミナル部と制御回路部を分離することができ、機器内部の各種基板等を露出させることなく、また配線を断線させる虞もなく、安全にかつ作業性を低下させずに保守あるいは修理等の作業を行うことができるとともにインターホン装置の設置後に行う接続確認試験も容易に行うことができる。
【００２９】
なお、本発明に係るターミナル構造は、集合住宅用インターホン装置はもちろん、戸建て住宅用インターホン装置の玄関子機、制御機、アダプタ等の制御装置にも適用することができる。
【図面の簡単な説明】
【００３０】
【図１】本発明のインターホン装置に係るターミナル構造の斜視図である。
【図２】本発明のインターホン装置に係るターミナル構造内部の配置状況を説明する図である。
【図３】本発明のインターホン装置の基本的な構成を表すブロック図である。
【図４】従来のターミナル構造の斜視図である。
【符号の説明】
【００３１】
１          集合玄関機
２          制御機
５          管理室親機
６          居室親機
６ａ        増設親機
７          アダプタ
８          センサ
１１          本体上ケース
１２          本体下ケース
１３          本体部
３０          配線
４１          ターミナル上ケース
４２          ターミナル下ケース
４３          本体コネクタ
４３ａ        ターミナルコネクタ
４４          制御用基板
４５          配線用基板
４６          ターミナル端子
４７          ターミナル部
【図１】
2007208534.tif 000003
【図２】
2007208534.tif 000004
【図３】
2007208534.tif 000005
【図４】
2007208534.tif 000006